(57)【要約】【課題】バイクや自転車に乗って走行する際や道路を歩行する際、体に着用することによって自分の存在を他人に確認させるための反射材を利用した交通安全用具を提供する。【解決手段】格子状に編んだ長尺帯状のネットＡの長尺方向に複数本の長尺の反射帯２を直列の各枡目３に所定の間隔をおいて交互に挿通し、挿通した各反射帯２の両端をネットＡの両端の縦糸２に固定具５で固定し、前記ネットＡの左右何れかの適所に掛止具６を取り付けたものであり、又格子状に編んだ腕章状のネットＡの上下何れかの横糸の適所に係留ピン７、肩掛帯８を取り付けたことを特徴とする。【選択図】          図１
2004361903.tif 000002
【特許請求の範囲】
【請求項１】
格子状に編んだ長尺帯状のネットの長尺方向に複数本の長尺の反射帯を直列の各枡目に、所定の間隔をおいて交互に挿通し、挿通した各反射帯の両端をネットの両端の縦糸に固定具で固定し、前記ネット両端の適所に複数個の掛止具を取り付け、ネットの上下何れかの横糸の適所に係留ピンを取り付けたことを特徴とする交通安全用具。
【請求項２】
ネットの上下何れかの横糸に適当な間隔をおいて、着用者の左右の肩に掛けるための２本の肩掛帯を設けたことを特徴とする請求項１記載の交通安全用具。
【請求項３】
格子状に編んだネットを筒状に形成し、複数本の反射帯を直列の各枡目に所定の間隔をおいて交互に挿通し、この筒状のネットの上下何れかの横糸の適所に係留ピンを取り付けたことを特徴とする交通安全用具。
【発明の詳細な説明】
【０００１】
【発明の属する技術分野】
本発明は夜間、バイクや自転車に乗って走行する際や道路を歩行する際、体に着用することによって自分の存在を他人に確認させるための反射材を利用した交通安全用具に関するものである。
【０００２】
【従来の技術】
従来、交通安全に関する用具は各種各様提供され、特に夜間の交通安全にかかる用具は数多く提供され、中でも光を反射する反射材を利用した用具は大半を占めており、夜間交通対策に携わる警察官や交通安全に関わる人々は黄色の反射材を利用した帯を襷掛けにしたり、胴部に巻いたり、腕章として腕に取り付けているが、幼稚園児や小学生等は交通安全対策として反射材を利用した黄色のワッペンを帽子や腕、胸等に取り付けている。
【０００３】
【発明が解決しようとする課題】
しかし、これらの交通安全用具は約５ｃｍ〜６ｃｍ幅で合成樹脂製の帯状の反射材が利用されているため感触が冷たく、寒期には特に感じるばかりでなく、一本の黄色の帯では意匠的にも単調であるため更に存在感を高める必要があった。本発明は、格子状に編んだ長尺帯状のネットの長尺方向に複数本の長尺反射帯を直列の各枡目に、所定の間隔をおいて交互に挿通し、各反射体の両端をネットの両端の縦糸に固定し、このネットの両端の縦糸に掛止鈎を取り付け、上下の横糸に係留ピンを取り付けた交通安全用具を提供することを目的とする。
【０００４】
【課題を解決するための手段】
上記目的を達成するため本発明は、格子状に編んだ長尺帯状のネットＡの長尺方向に複数本の長尺の反射帯２を直列の各枡目３に所定の間隔をおいて交互に挿通し、挿通した各反射帯２の両端をネットＡの両端の縦糸２に固定具５で固定し、前記ネットＡの左右何れかの適所に掛止具６を取り付けたものであり、又、ネットの上下何れかの横糸１適当の間隔をおいて２本の肩掛帯８を設け、又、格子状に編んだ筒状（腕章状）のネットＡの上下何れかの横糸１の適所に係留ピン７を取り付けたものである。
【０００５】
【発明の実施の形態】
以下、本発明の実施の形態を図面に基いて説明する。
【０００６】
図１は本発明の平面図、図２は図１におけるＩＩ−ＩＩ断面図で図３は本発明の使用状態を示す斜視図、図４は本発明の腕章としての使用状態図、図５は本発明の第２実施例図で図中の符号Ａはネットを示しＢは人の胴部を、Ｃは腕部を示す。
【０００７】
１は縦糸と横糸を格子状に編んだネットＡの横糸で、特定の太さのものではないが直径２ｍｍ程度の撚糸が適当で、所定の間隔をおいて複数本平行に並設されている。
【０００８】
２は前記横糸１に対し、所定の間隔をおいて複数本直行させて設けられた縦糸で、このように縦糸と横糸を直行させることによってネットＡが構成され、各交差部分は接着固定されることによって複数の格子状の桝目３が形成されている。
【０００９】
複数の枡目３には長尺帯状の反射帯が横方向の枡目に複数本が所定の間隔をおいて挿着されている。
枡目３は特定の大きさのものではなく、横糸１と縦糸２の数によって異なるが、反射帯４の巾に合わせ、３０ｍｍ程度が望ましい。
【０００９】
反射帯４は夜間時、又は暗い場所にあって光を蓄光反射させる塗料を塗布又は浸透させたもので、現在各方面に利用され、特に交通安全に関る標識や用具に利用されている。
例えば、交通標識や夜間交通取り締まりに従事する警察官等の身辺具として腕章、襷等に利用されており、又一般の人が自転車に乗ったり、道路を歩いたりする際、傘や雨衣にワッペンとして取り付けられている。
【００１０】
５は反射帯４をネットＡの枡目に挿通した際に両端を縦糸２に固定するための固定具で、特殊の構造を持ったものではなく、完全に固定できれば接着剤等でも支障はない。
【００１２】
６はネットＡの、縦長方向の一端に取り付けられた複数個（図面では２箇）の掛止具で、ネットＡを着用する際、例えば胴回り又は胸囲りに取り付ける際、ネットＡの他端の対応する位置に引っかけて連結するようになっている。
掛止具６は簡単に掛け外しできる機構のものが望ましいので、図面においてはＳ字状の掛止具を採用しているが、このような掛止具に限らず雌雄の面ファスナーでも連結は可能である。
【００１３】
７はネットＡを衣服に取り付けるための係留ピンで、特定のものではなく、金属製の安全ピン、クリップ等が適切であが、面ファスナーでも適当な係留効果が得られる。
【００１４】
８はネットＡの上部の横糸に２本並設した肩掛帯で、前記係留ピン７でネットＡを留める代わりに肩に掛けることによってネットＡを保持するようにしたものである。
肩掛帯８は特定のものではないが、交通安全上前記反射帯４のような機能をもったものが望ましい。
又、２本の肩掛帯８は、一端をネットＡの上部の横糸１に固定し、他端を面ファスナーを利用して取り付けることによってネット（交通安全用具）を楽に着脱でき、肩掛帯の長さも自由に調節できる。
【００１５】
ネットＡの周囲にゴム紐等の弾性材を取り付けることによって自転車、バイク等の荷台や籠の荷物を落下や荷崩れを防止するネットとして利用できる。
【００１６】
他の実施例としてネットＡを筒状に形成することによって腕章として腕に取り付けることも可能で、取り付けには係留ピンを利用する。
【００１７】
上記のように構成された本発明を実際に使用する場合は次のようになる。
図３に示したように、ネットＡを体の胴部又は胸部に巻き、縦長方向の一端部に取り付けられた複数個（図面では２個）の鈎状の掛止具６を他端部の縦糸２に引っかけて固定し、係留ピン７を利用して上衣に取り付ける。
取り付けられるネットＡは掛止具６が多いほど安定するが、２個〜３個でも確実に取り付けることができる。
【００１８】
【発明の効果】
上記のように構成された本発明には次のよう効果がある。
ａ．複数本の反射帯が並設されていることによって光が縞状に幅広く反射するので非常に目につき易い。
ｂ．複数本の反射帯が編目を通し所定間隔をおいてネットに挿通されていることによって複眼のような独特の光反射をするので対手が気付きやすい。
ｃ．反射帯がネットの枡目に交互に挿通されているので通気性がよい。
ｄ．ネットの周辺に沿ってゴム紐等の弾性材を取り付けることによって自転車の荷台の荷物を固定するネットとしても利用できる。
【図面の簡単な説明】
【図１】本発明の平面図である。
【図２】図１におけるＩＩ−ＩＩ断面図である。
【図３】本発明の使用状態を示した図である。
【図４】本発明の腕章としての使用状態図である。
【図５】本発明の第２実施例の斜視図である。
【符号の説明】
１  横糸
２  縦糸
３  枡目
４  反射帯
５  固定具
６  掛止具
７  係留ピン
８  肩掛帯
Ａ  ネット
Ｂ  胴部
Ｃ  腕部
【図１】
2004361903.tif 000003
【図２】
2004361903.tif 000004
【図３】
2004361903.tif 000005
【図４】
2004361903.tif 000006
【図５】
2004361903.tif 000007